(57)【特許請求の範囲】
【請求項１】
ケーブルを支持するケーブル支持金物であって、
トンネル内壁の固定具に取り付けられる取付部と、
該取付部から延出され、複数のケーブルを載置可能な載置部と、
を備え、
前記載置部には、前記載置されるケーブルの配設方向に所定の幅を有する平らな部位が形成されており、前記固定具に取り付けられた状態で、前記平らな部位が、ケーブルの配設方向の少なくとも一方向に対して傾斜され、
前記傾斜の角度は、水平から３ないし１０度の範囲の任意の角度であるケーブル支持金物。
【請求項２】
前記傾斜は、前記載置部の中央部から両端部にかけて下るように設けられた請求項１記載のケーブル支持金物。
【請求項３】
前記載置部を覆うカバーを備える請求項１または請求項２記載のケーブル支持金物。
【請求項４】
前記載置部は、折り曲げられて複数の載置部を有する形状とされ、前記複数の載置部の少なくとも一つは、それぞれ前記傾斜を備える請求項１から請求項３のいずれか一項記載のケーブル支持金物。
【発明の詳細な説明】
【技術分野】
【０００１】
本発明は、ケーブル支持金物に関する。
【背景技術】
【０００２】
トンネル内には、信号灯や通信用などに種々のケーブルが配設されている。このため、トンネル上部の側面にアンカーボルトを打ち、これに、ケーブルを支持する金物を固定して、ケーブルを配置している。こうしたケーブルを支持する金物は、ケーブルガイド、ケーブルラック、ケーブル支持金物などと呼ばれているが、本明細書では、ケーブル支持金物と総称する。かかるケーブル支持金物を設けることで、ケーブルを１つずつトンネル内壁に固定する必要がなく、またケーブルの増設作業も容易となる。こうしたケーブル支持金物は、例えば下記特許文献１、２などに記載されている。
【先行技術文献】
【特許文献】
【０００３】
【特許文献１】特開２００９−２５４０２３号公報
【特許文献２】特開２００５−２７３２３４号公報
【発明の概要】
【発明が解決しようとする課題】
【０００４】
しかしながら、こうしたケーブル支持金物では、トンネル内部での仕様を前提として雨水に対する対策がされていないため、使用の態様によっては、様々な問題が生じることがあった。例えば、トンネル出入口付近では、外部から雨水が吹き込むことがあり、ケーブル支持金物に雨滴が付着することがあった。また、天井からの漏水やケーブルを伝う雨水が、ケーブル支持金物を濡らしてしまうことも現実にはあり得た。雨水がケーブル支持金物に付着すると、錆やカビの発生や蜘蛛などの昆虫の産卵等を招くことがあり、ケーブル支持金物や保持されているケーブルの耐久性を低下させる虞があった。
【０００５】
そのほか、従来のケーブル支持金物においては、その小型化や、低コスト化、省資源化、製造の容易化、使い勝手の向上等が望まれていた。
【課題を解決するための手段】
【０００６】
本発明は、上述の課題の少なくとも一部を解決するためになされたものであり、以下の形態として実現することが可能である。即ち、本発明のケーブル支持金物は、ケーブルを支持するケーブル支持金物であって、固定具に取り付けられる取付部と、該取付部から延出され、複数のケーブルを載置可能な載置部と、を備え、前記載置部には、前記載置されるケーブルの配設方向に所定の幅を有する平らな部位が形成されており、前記固定具に取り付けられた状態で、前記平らな部位が、ケーブルの配設方向の少なくとも一方向に対して傾斜され、前記傾斜の角度は、水平から３ないし１０度の範囲の任意の角度であることを要旨とする。
【０００７】
（適用例１）本発明の一形態として、ケーブルを支持するケーブル支持金物が提供される。このケーブル支持金物は、固定具に取り付けられる取付部と、該取付部から延出され、複数のケーブルを載置可能な載置部と、を備えてよい。このケーブル支持金物では、前記載置部は、前記固定具に取り付けられた状態で、ケーブルの配設方向の少なくとも一方向に対して傾斜されてよい。
【０００８】
かかるケーブル支持金物は、固定具に取り付けられた状態で、載置部が<
ケーブルの配設方向の少なくとも一方向に対して傾斜され.る。したがって、雨水や天井からの漏水、あるいは結露水などが載置部から排出され易くなり、カビや錆び等の発生を抑制することができる。
【０００９】
かかるケーブル支持金物において、前記傾斜は、前記載置部の一端から他端にかけて、水平から３ないし１０度の範囲の任意に角度をとすることができる。この程度の角度範囲であれば、溜った水の排出が可能となり、かつケーブルの載置の邪魔にならない。
【００１０】
前記傾斜は、前記載置部の中央部から両端部にかけて下るように設けてもよい。るいは、前記傾斜は、円弧の一部としてもよい。こうした場合でも、排水が可能となる。
【００１１】
上記のケーブル支持金物では、前記載置部を覆うカバーを備えるものとしても良い。カバーがあれば、載置されたケーブルが脱落しにくくなる。
【００１２】
また、前記載置部は、折り曲げられて複数の載置部を有する形状とされ、前記複数の載置部の少なくとも一つは、それぞれ前記傾斜を備えるものとして良い。このケーブル支持金物によれば、多数あるいは多種類のケーブルを仕分けして載置することができる。また傾斜された載置部では、排水が容易となり、カビや錆の発生を抑制することができる。
【００１３】
本発明は、支持金物以外の種々の形態で実現することも可能である。例えば、ケーブル支持金物の製造方法やケーブルの支持方法、あるいはケーブルの交換もしくは増設方法などの形態で実現することができる。
【図面の簡単な説明】
【００１４】
【図１】実施形態のケーブル支持金物の取り付け状態を示す説明図である。
【図２】第１実施形態のケーブル支持金物の斜視図である。
【図３】第１実施形態のケーブル支持金物の正面図である。
【図４】第２実施形態のケーブル支持金物の正面図である。
【図５】構成例のケーブル支持金物の正面図である。
【図６】第１変形例としてのケーブル支持金物の構成を示す斜視図である。
【図７】第２変形例としてのケーブル支持金物の使用状態を説明する説明図である。
【発明を実施するための形態】
【００１５】
Ａ．第１実施形態：
図１は、第１実施形態のケーブル支持金物１０の取付状態を示す説明図である。また、図２は、ケーブル支持金物１０の形態を示す斜視図である。以下、両図を使って説明する。図示するように、第１実施形態のケーブル支持金物１０は、トンネルの内壁に設けられた固定具としてのアンカーボルト１２に六角ボルト１４により取り付けられている。
【００１６】
このケーブル支持金物１０は、アンカーボルト１２取り付け用のボルト１４が挿通する取付穴を有する取付部２５、取付部２５から下方に延長された連設部２６、連設部２６から略垂直に突き出た載置部２０、載置部２０の他端から上方に延出された側部２７等を備える。図２では、アンカーボルト１２に併せて示したが、アンカーボルト１２は、実際にはトンネル内壁のコンクリート内に埋設されている。このアンカーボルト１２に設けられた雌ネジ部にボルト１４をねじ込むことにより、ケーブル支持金物１０の取付部２５は、トンネル内壁にしっかりと取り付けられる。
【００１７】
取付部２５、連設部２６、載置部２０、側部２７は、一枚の板金を曲げて作られている。もとより、適宜別部材として製作し、後からリベット止めや溶接などして繋ぎ合わせても差し支えない。板金材料としては、ＳＰＣＣ，ＳＥＣＣなどの鉄板に亜鉛メッキなどを施した材料を用いることができる。もとより、ステンレスやアルミニウムなど、他の金属板であっても差し支えない。また、複数の部材を溶接したり、切削加工などによって形成することも差し支えない。
【００１８】
また、載置部２０の底面は、図３の正面図に示すように、幅方向において、僅かに傾斜している。傾斜角度αは、本実施形態では、約６度としたが、３度から１０度程度の間であれば、任意の角度とすることができる。
【００１９】
第１実施形態のケーブル支持金物１０にケーブルを取り付ける際には、まずトンネル内壁に下穴を開け、ここにアンカーボルト１２を打ち込んで埋設する。次にボルト１４により、ケーブル支持金物１０をその取付部２５において固定する。こときに、ボルト１４には緩み確認用の異形ワッシャ４１が共締めされている。図３に示すように、異形ワッシャ４１は、通常のワッシャと比べて横長の形状をしており、取付穴が偏心しても設けられている。そこで、ボルト１４を取り付ける際、異形ワッシャ４１を横方向に飛び出すように締め付けておけば、ボルト１４が緩んだとき、異形ワッシャ４１が回り、ボルト１４の緩みを容易に検出することができる。
【００２０】
以上説明したケーブル支持金物１０は、トンネルの内壁に所定間隔で取付、図１に示したように、ケーブルＣＣを、ケーブル支持金物１０に掛け渡して設置する。なお、図示していないが、ケーブル支持金物１０の載置部２０に、開口部を設け、ケーブルＣＣをこの開口を利用して、結束バンドや針金、ワイヤーなどで固定しても良い。又、ケーブルＣＣは、一段のみとする必要はなく、２段以上積み上げても良い。
【００２１】
第１実施形態のケーブル支持金物１０では、載置部２０は、ケーブルを載置する面が僅かに傾斜している。したがって、雨水や天井付近からの漏水、あるいは結露水などがケーブル支持金物１０に溜っても、傾斜に沿って排水されやすくなっている。このため、長期に亘ってケーブルや載置部２０が濡れた状態になりにくく、カビや錆の発生を抑制することができる。しかも、載置部２０の傾斜は１０度以下と小さいので、載置部２０のエッジでケーブルを傷めるといったこともない。
【００２２】
載置部２０の傾斜は、図３において右方向に上り勾配としているが、下り勾配であっても勿論差し支えない。勾配の異なるタイプのケーブル支持金物１０を用意し、トンネル内の道路の傾斜に合わせて、勾配の異なるケーブル支持金物１０を用いることも望ましい。例えば、図３に示されたケーブル支持金物１０に対して、紙面左側に当たる位置に配置されたケーブル支持金物が、より低い位置に設けられているような場合、右向きの上がり勾配を有する載置部２０（図３）を有するケーブル支持金物１０を用いれば、ケーブルＣＣの傾斜と載置部２０の傾斜方向が一致するので、望ましい。
【００２３】
逆に、ケーブルの勾配とは反対向きの勾配を有するケーブル支持金物１０を用いれば、載置部２０に付着もしくは滞留した水分は、ケーブルＣＣの全体的な傾きとは逆方向に流れ落ちるので、水滴などがケーブルＣＣを伝うことが抑制される。
【００２４】
Ｂ．第２実施形態：
次に本発明の第２実施形態につて説明する。図４は、第２実施形態のケーブル支持金物１００を示す正面図である。このケーブル支持金物１００は、載置部２０１の形状を除いて、他は第１実施形態のケーブル支持金物１０と同一である。
【００２５】
第２実施形態において、ケーブル支持金物１００の載置部２０１は、図４に示したように、幅方向中央部を頂部として、ケーブルの掛け渡し方向前後にそれぞれ角度βで傾斜されている。傾斜角度βは、３度以上１０度以下の任意の角度である。本実施形態では、約５度とした。なお、前後方向で傾斜の角度は同一でも良いし、違っていても良い。また頂部は、緩やかに丸められている。これは、研磨などによって所定の形状としても良いし、単に載置部２０１に相当する板金のの曲げ加工によって形成される形状としても良い。
【００２６】
かかる形状のケーブル支持金物１００によれば、第１実施形態と同様、雨水や漏水、結露などにより水分が載置部２０１に付着しても、傾斜に沿って排出されやすい。この結果、ケーブルＣＣや載置部２０１での、カビや錆び等の発生を抑制することができる。また、載置部２０１は、両方向に傾斜しているので、２種類の金物を作る必要がなく、ケーブルＣＣが全体として上り勾配となるようにケーブル支持金物１００が配置されても下り勾配に設置されても、適切に排水することができる。
【００２７】
Ｃ．構成例：
次に、ケーブル支持金物の他の構成例について説明する。構成例のケーブル支持金物１１０は、図５に示すように、載置部２０２の形状を除いて、第１実施形態のケーブル支持金物１０と同一である。このケーブル支持金物１１０では、その載置部２０２は、断面が上に凸の円弧形状となるように形成されている。かかる形状は、切削によって形成しても良いし、載置部に相当する平らな板金を曲げ加工の前にプレスにより整えることにより形成しても良い。
【００２８】
かかる形状のケーブル支持金物１１０によれば、雨水や漏水、結露などにより水分が載置部２０２に付着しても、傾斜した円弧に沿って排出されやすい。この結果、ケーブルＣＣや載置部２０２でのカビや錆び等の発生を抑制することができる。また、載置部２０２は、両方向に傾斜しているので、２種類の金物を作る必要がなく、ケーブルＣＣが全体として上り勾配となるようにケーブル支持金物１１０が配置されても下り勾配に設置されても、適切に排水することができる。
【００２９】
Ｄ．変形例：
（１）第１変形例：
第１ないし第２実施形態のケーブル支持金物では、載置部は覆われていないが、図６に示すように、載置部２０をカバー３０で覆う構成としても良い。図６に示したケーブル支持金物１５０では、側部２７の先端は更に外方に延出・折り曲げられて、載置部２０と平行な第１平面２１を形成している。この第１平面の略中央には開口部が設けられ、ネジがタッピングされている。他方、カバー３０の一端の第１平面に対応する平面（第２平面）３２の対応する位置には、取付孔が設けられている。従って、載置部２０の第１平面２１に、カバー３０の第２平面３２を重ねて、カバー３０側からボルト２４を通して螺合すれば、カバー３０を載置部２０に容易に組み付けることができる。
【００３０】
カバー３０の第２平面３２とは逆の先端は、角部が面取りされている。カバー３０の全長は、載置部２０（第１平面２１を含む）、の長手方向長さと略同一より僅かに短くされている。ボルト２４により、カバー３０を載置部２０に取り付けると、ボルト２４が完全に固定されていない状態では、カバー３０は、ボルト２４を中心に回転可能である。特に、カバー３０の両角が面取りされていることから、カバー３０の先端が連設部２６に当たって回転が阻害されることはない。
【００３１】
第１変形例として示した図６のケーブル支持金物１５０によれば、第１ないし第２実施形態と同様の作用効果を奏する上、カバー３０により載置部２０を覆っているので、ケーブルＣＣに外から力が加わったりしても、ケーブルＣＣがケーブル支持金物１５０から外れたり、脱落することがないという効果を奏する。しかも、ケーブルＣＣを収納したり、ケーブルを取り外したり、増設するような場合、ボルト２４を緩めるだけで、簡単にケーブルＣＣにアクセすることができる。特に、ボルト２４を緩めてカバー３０を回転するだけで良いので、取り外したカバーやボルトが脱落・落下するということもない。
【００３２】
カバー３０の形状や、取付手法などは、様々なバリエーションが可能である。上記変形例１では、カバー３０の連設部２６側の先端は、両角を面取りしたが、一方だけ面取りし、回転方向を一方向に制限しても良い。面取りに代えて、半円形状、あるいは一方のみ円弧形状に形成してもよい。また、カバー３０全体または少なくとも先端を可撓性の部材、例えばゴムなどで形成してもよい。もとより、先端を耐熱性を有する金属やセラミックスで、かつ先端のみ可動あるいは伸縮する構造としても良い。例えば、先端をベローズ、バネ、帳番などを用いて、カバーの回転を許容する構造とすれば良い。
【００３３】
（２）第２変形例：
次に、第２変形例について説明する。図７は、第２変形例のケーブル支持金物１６０の形状を示す説明図である。このケーブル支持金物１６０では、載置部２１０は、三段に屈曲されている。この場合でも、各段の載置部２１０ａ，２１０ｂ，２１０ｃは、それぞれ第１ないし第２実施形態に示した形状のいずれかの形状とされている。したがって、各実施形態と同様の作用効果を奏することができる。なお、各段の載置部２１０ａ，２１０ｂ，２１０ｃを、載置部２１０の長さ方向（図７左右方向）に傾斜させてもよい。
【００３４】
（３）第３変形例：
載置部には、開口部や貫通孔などを設け、ケーブルＣＣを結束バンドや針金などで固定するものとしても良い。
【００３５】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００３６】
例えば、載置部２０の表面には撥水性の皮膜を形成しても良い。撥水性スプレーなどにより撥水性材料を塗布しても良い。あるいは逆に酸化チタンなどの親水性材料を塗布しても良い。載置部の表面に撥水性を持たせた場合は、滞留または付着した水分は、大きな接触角を持ち、つまり水滴となって傾斜に沿って転がり落ちやすくなる。また親水性を持たせた場合には、水分は、傾斜に沿って薄い皮膜となり、載置部の縁から滴下する。いずれにせよ、載置部への水分の滞留は抑制される。
【００３７】
ケーブル支持金物１０などは、金属板を加工して形成したが、合成樹脂やセラミックスカーボン複合材、メタルセラミックス複合材などによって形成しても良い。また、板材に変えて、メッシュやパンチングメタルなどを、曲げ加工して形成しても良い。
【００３８】
上記実施形態では、ケーブル支持金物１０等は、トンネルの内壁に設けたアンカーボルト１２から吊り下げられるような形態で取り付けるものとしたが、逆にケーブル支持金物の下方のアンカーボルトに支持されるように取り付けても良い。こうした場合には、アンカーボルトを複数本用意すれば、安定に取り付けることができる。もとより、吊り下げるタイプでもアンカーボルトは複数本用意しても良い。更に、本発明のケーブル支持金物を複数平行に配置してガイドなどにより連結し、ケーブルラックとして使用することも差し支えない。
【符号の説明】
【００３９】
１０，１００，１１０，１５０…ケーブル支持金物
１２…アンカーボルト
１４，２４…ボルト
２０，２０１，２０２，２１０…載置部
２１…第１平面
２５…取付部
２６…連設部
２７…側部
３０…カバー
３２…第２平面
４１…異形ナット
【要約】
【課題】トンネル内のケーブル支持を簡易に行なえ、かつ雨水などに対する耐久性の高い金物を提供する。
【解決手段】固定具に取り付けられる取付部と、この取付部から延出され、複数のケーブルを載置可能な載置部と、を備え、この記載置部は、固定具に取り付けられた状態で、ケーブルの配設方向の少なくとも一方向に対して傾斜されている。このケーブル支持金物では、雨水は、傾斜方向に誘導されるので、雨水が載置部に滞留して、錆やカビなどを生じる可能性を抑制できる。
【選択図】図２【図１】
0005631476.tif 000002
【図２】
0005631476.tif 000003
【図３】
0005631476.tif 000004
【図４】
0005631476.tif 000005
【図５】
0005631476.tif 000006
【図６】
0005631476.tif 000007
【図７】
0005631476.tif 000008